(57)【要約】【課題】消費電力を低減することができる表示装置、表示方法及び表示プログラムを提供することである。【解決手段】実施形態の表示装置は、配列された複数の発光素子と、発光制御部と、発光指示部とを持つ。発光制御部は、発光する発光素子同士の間隔が映像の解像度の低下に応じて広くなるよう、発光素子の一部を選択する。発光指示部は、選択された発光素子に対して映像に応じて発光を指示する。【選択図】図３
2018049062.tif 000002
【特許請求の範囲】
【請求項１】
配列された複数の発光素子と、
発光する発光素子同士の間隔が映像の解像度の低下に応じて広くなるよう、前記発光素子の一部を選択する発光制御部と、
選択された前記発光素子に対して前記映像に応じて発光を指示する発光指示部と、
を備える表示装置。
【請求項２】
前記発光制御部は、前記発光する発光素子が一つ置きとなるよう前記発光素子を選択する、請求項１に記載の表示装置。
【請求項３】
前記発光制御部は、前記発光する発光素子が二つ置きとなる前記発光素子を選択する、請求項１に記載の表示装置。
【請求項４】
前記発光制御部は、選択する前記発光素子を周期的に変更する、請求項１から請求項３のいずれか一項に記載の表示装置。
【請求項５】
表示装置が実行する表示方法であって、
発光する発光素子同士の間隔が映像の解像度の低下に応じて広くなるよう、前記発光素子の一部を選択するステップと、
選択された前記配置と前記映像とに応じて前記発光素子の発光を制御するステップと、
を含む表示方法。
【請求項６】
コンピュータに、
発光する発光素子同士の間隔が映像の解像度の低下に応じて広くなるよう、前記発光素子の一部を選択する手順と、
選択された前記配置と前記映像とに応じて前記発光素子の発光を制御する手順と、
を実行させるための表示プログラム。
【発明の詳細な説明】
【技術分野】
【０００１】
本発明の実施形態は、表示装置、表示方法及び表示プログラムに関する。
【背景技術】
【０００２】
大型の表示装置の画面には、複数の発光ダイオード（Light Emitting Diode）が配列されている。従来の表示装置は、配列された全ての発光ダイオードが発光することによって画面に映像を表示する。また、表示装置は、高解像度でない映像を表示する場合には、低消費電力であることが望ましい。しかしながら、従来の表示装置は、消費電力を低減することができない場合があった。
【先行技術文献】
【特許文献】
【０００３】
【特許文献１】特開２０１２−１９１３０８号公報
【発明の概要】
【発明が解決しようとする課題】
【０００４】
本発明が解決しようとする課題は、消費電力を低減することができる表示装置、表示方法及び表示プログラムを提供することである。
【課題を解決するための手段】
【０００５】
実施形態の表示装置は、配列された複数の発光素子と、発光制御部と、発光指示部とを持つ。発光制御部は、発光する発光素子同士の間隔が映像の解像度の低下に応じて広くなるよう、前記発光素子の一部を選択する。発光指示部は、選択された発光素子に対して映像に応じて発光を指示する。
【図面の簡単な説明】
【０００６】
【図１】実施形態の表示装置の構成の例を示す図。
【図２】実施形態の信号処理部の構成の例を示す図。
【図３】実施形態の表示部の構成の例を示す図。
【図４】実施形態の高解像度の映像を表示する複数の発光ダイオードの発光の例を示す図。
【図５】実施形態の中解像度の映像を表示する複数の発光ダイオードの発光の例を示す図。
【図６】実施形態の低解像度の映像を表示する複数の発光ダイオードの発光の例を示す図。
【図７】実施形態の制御部の動作の例を示すフローチャート。
【発明を実施するための形態】
【０００７】
以下、実施形態の表示装置、表示方法及び表示プログラムを、図面を参照して説明する。
【０００８】
図１は、表示装置１の構成の例を示す図である。表示装置１は、映像信号に基づく映像を表示する装置である。表示装置１は、信号処理部２と、表示部３とを備える。信号処理部２は、取得した映像信号に信号処理を施す装置である。信号処理部２は、例えば、ＳＭＰＴＥ（Society of Motion Picture and Television Engineers）規格のＳＤＩ（Serial Digital Interface）規格に基づいて伝送された映像信号を取得する。信号処理部２は、ＳＤＩ規格のＳＤＩカスタムフォーマットに映像信号を変換する。
【０００９】
以下、ＳＤＩカスタムフォーマットに変換された映像信号を「ＳＤＩカスタム信号」という。すなわち、ＳＤＩカスタム信号は、ＳＭＰＴＥ規格に基づいてカスタマイズされた映像信号である。カスタマイズとは、例えば、ＳＤ−ＳＤＩ（ＳＭＰＴＥ２５９Ｍ）、ＨＤ−ＳＤＩ（ＳＭＰＴＥ２９２Ｍ）又はＳＤ−ＳＤＩ（ＳＭＰＴＥ２５９Ｍ）のいずれの映像信号でも、映像信号の周波数を１Ｇｂｐｓに制限して、出力する映像の横の画素数を７２０として、出力する映像の縦の画素数を１０８０とすることである。
【００１０】
表示部３は、映像を表示するデバイスである。表示部３の形状は、例えば、タイル状である。表示部３は複数でもよい。表示部３は、ＳＤＩカスタム信号を信号処理部２から取得する。表示部３は、ＳＤＩカスタム信号に基づく映像を画面に表示する。
【００１１】
図２は、信号処理部２の構成の例を示す図である。信号処理部２は、取得部２０と、抽出部２１と、メモリ２２と、検出部２３と、生成部２４と、出力部２５とを備える。取得部２０と抽出部２１と検出部２３と生成部２４と出力部２５とのうち一部又は全部は、ＦＰＧＡ（Field-Programmable Gate Array）等のプログラマブル・ロジック・デバイスを用いて実現される。また、取得部２０と抽出部２１と検出部２３と生成部２４と出力部２５とのうち一部又は全部は、ＣＰＵ（Central Processing Unit）を用いて実現されてもよい。
【００１２】
取得部２０は、ＳＤＩ規格に基づいて伝送された映像信号を取得する。取得部２０は、所定の緊急情報を表す信号をさらに取得してもよい。抽出部２１は、映像データ及び解像度情報を、映像信号から抽出する。抽出部２１は、映像信号から抽出された映像データを、映像のフレームごとにメモリ２２に記録する。
【００１３】
メモリ２２は、半導体記憶装置等の不揮発性の記録媒体（非一時的な記録媒体）である。メモリ２２は、映像信号から抽出された映像データを、映像のフレームごとに記憶する。検出部２３は、抽出された映像データに基づく映像の解像度（画素数）を、映像のフレームごとに検出する。
【００１４】
生成部２４は、抽出された映像データに基づく映像の解像度を表す情報を、検出部２３から取得する。生成部２４は、映像信号から抽出された映像データを、映像のフレームごとにメモリ２２から取得する。生成部２４は、映像の解像度を表す情報と映像データとに基づいて、ＳＤＩカスタム信号を生成する。
【００１５】
出力部２５は、映像を映すために必要な様々な情報を、ＳＤＩカスタム信号のＢＴＡ−Ｓ−００５規格に基づくヘッダー（映像データ範囲外の最初の２０ライン分）に付加する。例えば、出力部２５は、映像の解像度を表す情報を、ＳＤＩカスタム信号のヘッダーに付加してもよい。出力部２５は、映像の解像度を表す情報を、例えば、ＳＤＩカスタム信号のヘッダーの１１ライン目に付加してもよい。出力部２５は、映像の解像度を表す情報がヘッダーに付加されたＳＤＩカスタム信号を、映像のフレームごとに表示部３に送信する。出力部２５は、例えば、緊急情報を表す信号を取得部２０が取得した場合、表示部３を制御するための制御信号を表示部３に送信してもよい。
【００１６】
図３は、表示部３の構成の例を示す図である。表示部３は、制御部３０と、発光部３１とを備える。制御部３０は、発光部３１の発光を制御する。制御部３０は、取得部３００と、検出部３１０と、発光制御部３２０と、垂直選択部３３０と、ドライバ群３４０と、メモリ３５０とを備える。
【００１７】
取得部３００と検出部３１０と発光制御部３２０と垂直選択部３３０とドライバ群３４０との一部又は全部は、ＦＰＧＡ等のプログラマブル・ロジック・デバイスを用いて実現される。また、取得部３００と検出部３１０と発光制御部３２０と垂直選択部３３０とドライバ群３４０との一部又は全部は、ＣＰＵを用いて実現されてもよい。
【００１８】
取得部３００は、メタルケーブル又は光ケーブルを介して、ＳＤＩカスタム信号を信号処理部２から取得する。取得部３００は、ヘッダーの情報をＳＤＩカスタム信号から抽出する。取得部３００は、映像データをＳＤＩカスタム信号から抽出する。取得部３００は、ＳＤＩカスタム信号から抽出されたヘッダーの情報を、検出部３１０に送信する。取得部３００は、ＳＤＩカスタム信号から抽出された映像データを、映像のフレームごとにメモリ３５０に記録する。
【００１９】
検出部３１０は、ＳＤＩカスタム信号に基づく映像の解像度を、ＳＤＩカスタム信号のヘッダーの情報から検出する。検出部３１０は、ＳＤＩカスタム信号に基づく映像の解像度を表す情報を、発光制御部３２０に送信する。
【００２０】
発光制御部３２０は、ＳＤＩカスタム信号に基づく映像の解像度に応じて、発光部３１の発光を制御する。発光制御部３２０は、配置選択部３２１と、第１水平選択部３２２と、第２水平選択部３２３と、第３水平選択部３２４とを備える。
【００２１】
配置選択部３２１は、ＳＤＩカスタム信号に基づく映像の解像度を表す情報を、検出部３１０から取得する。配置選択部３２１は、配列された発光ダイオード３２のうち発光する発光ダイオード３２を、ＳＤＩカスタム信号に基づく映像の解像度に応じて選択する。例えば、配置選択部３２１は、発光する発光ダイオード３２同士の間隔が映像の解像度の低下に応じて広くなるよう、配列された発光ダイオード３２の一部を選択する。配置選択部３２１は、選択した発光ダイオード３２の配置パターンに応じて、第１水平選択部３２２、第２水平選択部３２３又は第３水平選択部３２４を起動する。
【００２２】
配置選択部３２１は、ＳＤＩカスタム信号に基づく映像の解像度が高解像度である場合、第１水平選択部３２２を起動する。高解像度の映像とは、例えば、ＦＨＤ（Full High Definition）−ＳＤＩの画素数を有する映像である。ＦＨＤ−ＳＤＩの映像の水平方向の画素数は、１９２０である。ＦＨＤ−ＳＤＩの映像の垂直方向の画素数は、１０８０である。
【００２３】
配置選択部３２１は、ＳＤＩカスタム信号に基づく映像の解像度が中解像度である場合、第２水平選択部３２３を起動する。中解像度の映像とは、例えば、ＨＤ（High Definition）−ＳＤＩの画素数を有する映像である。ＨＤ−ＳＤＩの映像の水平方向の素数は、１２８０である。ＨＤ−ＳＤＩの映像の垂直方向の画素数は、７２０である。配置選択部３２１は、緊急情報を表す信号を信号処理部２の取得部２０が取得した場合、第２水平選択部３２３を起動してもよい。
【００２４】
配置選択部３２１は、ＳＤＩカスタム信号に基づく映像の解像度が低解像度である場合、第３水平選択部３２４を起動する。低解像度の映像とは、例えば、ＳＤ（Standard Definition）−ＳＤＩの画素数を有する映像である。ＳＤ−ＳＤＩの映像の水平方向の画素数は、７２０である。ＳＤ−ＳＤＩの映像の垂直方向の画素数は、４８０である。配置選択部３２１は、緊急情報を表す信号を信号処理部２の取得部２０が取得した場合、第３水平選択部３２４を起動してもよい。
【００２５】
第１水平選択部３２２は、ＳＤＩカスタム信号に基づく映像の解像度が高解像度である場合、水平方向（行方向）に配列された全ての発光ダイオード３２を選択する。第１水平選択部３２２は、選択した発光ダイオード３２が所定順序で発光するよう、コマンド信号を生成する。所定順序とは、例えば、ラスタスキャン(Raster scan)の順序である。コマンド信号は、例えば、シフトクロック信号（SCLK）、ラッチ信号（LATCH）及びブランク信号（BLANK）を表す信号である。第１水平選択部３２２は、垂直選択部３３０及びドライバ群３４０にコマンド信号を出力する。
【００２６】
第２水平選択部３２３は、ＳＤＩカスタム信号に基づく映像の解像度が中解像度である場合、発光する発光ダイオード３２同士の間隔が閾値以下まで狭くなるよう発光ダイオード３２の一部を間引いて、間引かれずに残った発光ダイオード３２を選択する。閾値は、例えば、１個の発光ダイオード３２（１画素）の辺の長さである。例えば、第２水平選択部３２３は、ＳＤＩカスタム信号に基づく映像の解像度が中解像度である場合、水平方向に配列された発光ダイオード３２を水平方向に一つ置きに選択する。第２水平選択部３２３は、緊急情報を表す信号を信号処理部２の取得部２０が取得した場合、水平方向に配列された発光ダイオード３２を水平方向に一つ置きに選択してもよい。第２水平選択部３２３は、選択した発光ダイオード３２が所定順序で発光するよう、コマンド信号を生成する。第２水平選択部３２３は、垂直選択部３３０及びドライバ群３４０にコマンド信号を出力する。
【００２７】
第３水平選択部３２４は、ＳＤＩカスタム信号に基づく映像の解像度が低解像度である場合、発光する発光ダイオード３２同士の間隔が閾値よりも広くなるよう発光ダイオード３２の一部を間引いて、間引かれずに残った発光ダイオード３２を選択する。例えば、第３水平選択部３２４は、ＳＤＩカスタム信号に基づく映像の解像度が低解像度である場合、水平方向に配列された発光ダイオード３２を水平方向に二つ置きに選択する。第３水平選択部３２４は、緊急情報を表す信号を信号処理部２の取得部２０が取得した場合、水平方向に配列された発光ダイオード３２を水平方向に二つ置きに選択してもよい。第３水平選択部３２４は、選択した発光ダイオード３２が所定順序で発光するよう、コマンド信号を生成する。第３水平選択部３２４は、垂直選択部３３０及びドライバ群３４０にコマンド信号を出力する。
【００２８】
垂直選択部３３０は、ＳＤＩカスタム信号に基づく映像の解像度が高解像度である場合、垂直方向（列方向）に配列された全ての発光ダイオード３２を垂直方向について選択する。垂直選択部３３０は、垂直方向に選択した発光ダイオード３２のアノードに電圧を印加する。
【００２９】
垂直選択部３３０は、ＳＤＩカスタム信号に基づく映像の解像度が中解像度である場合、発光する発光ダイオード３２同士の間隔が閾値以下まで狭くなるよう発光ダイオード３２の一部を間引いて、間引かれずに残った発光ダイオード３２を選択する。例えば、垂直選択部３３０は、ＳＤＩカスタム信号に基づく映像の解像度が中解像度である場合、垂直方向に配列された発光ダイオード３２を垂直方向に一つ置きに選択する。垂直選択部３３０は、垂直方向に一つ置きに選択した発光ダイオード３２のアノードに電圧を印加する。
【００３０】
垂直選択部３３０は、ＳＤＩカスタム信号に基づく映像の解像度が低解像度である場合、発光する発光ダイオード３２同士の間隔が閾値よりも広くなるよう発光ダイオード３２の一部を間引いて、間引かれずに残った発光ダイオード３２を選択する。例えば、垂直選択部３３０は、ＳＤＩカスタム信号に基づく映像の解像度が低解像度である場合、垂直方向に配列された発光ダイオード３２を垂直方向に二つ置きに選択する。垂直選択部３３０は、垂直方向に二つ置きに選択した発光ダイオード３２のアノードに電圧を印加する。
【００３１】
ドライバ群３４０は、複数のドライバ３４１を備える。図３では、ドライバ群３４０は、一例として、ドライバ３４１−１〜３４１−６（発光指示部）を備える。ドライバ３４１は、例えば、ＦＰＧＡ等のプログラマブル・ロジック・デバイス、ＬＳＩ（Large Scale Integration）やＡＳＩＣ（Application Specific Integrated Circuit）等を用いて実現される。ドライバ３４１は、発光制御部３２０及び垂直選択部３３０によって選択された発光ダイオード３２に対して、表示する映像に応じて発光を指示する。例えば、ドライバ３４１は、選択された発光ダイオード３２に対して、表示する映像に応じて発光色を指示する。
【００３２】
メモリ３５０は、半導体記憶装置等の不揮発性の記録媒体（非一時的な記録媒体）である。メモリ３５０は、ＳＤＩカスタム信号から抽出された映像データを、映像のフレームごとに記憶する。
【００３３】
発光部３１は、水平方向及び垂直方向に配列された複数の発光素子として発光ダイオード３２を備える。複数の発光ダイオード３２は、発光制御部３２０及び垂直選択部３３０の両方によって選択された場合に発光することによって、画面として機能する。発光部３１は、赤色で発光するダイオードと、青色で発光するダイオードと、緑色で発光するダイオードとを備える。
【００３４】
以下、符号「ｎ１」は、水平方向に配列された発光ダイオード３２の数に１を加算した値である。符号「ｎ２」は、水平方向に配列された発光ダイオード３２の数の２倍に１を加算した値である。
【００３５】
発光ダイオード３２は、垂直選択部３３０によってアノードに電圧が印加された状態で、第１水平選択部３２２、第２水平選択部３２３又は第３水平選択部３２４に選択された場合に発光する。図３では、一例として、発光ダイオード３２−ｎ１〜３２−（ｎ２−１）の各アノードには、電圧が印加されていない。図３では、発光している発光ダイオード３２は、白抜きで描かれている。発光していない発光ダイオード３２は、黒塗りで描かれている。
【００３６】
次に、発光ダイオード３２の発光に順序について説明する。図４から図６までは、発光ダイオード３２は、一例として、水平方向の１行に９個配列され、垂直方向の１列に９個配列されている。
【００３７】
図４は、高解像度の映像（ＦＨＤ−ＳＤＩの画素数の映像）を表示する複数の発光ダイオード３２の発光の例を示す図である。第１水平選択部３２２は、水平方向に配列された全ての発光ダイオード３２を選択する。垂直選択部３３０は、垂直方向に配列された全ての発光ダイオード３２を選択する。第１水平選択部３２２は、ラスタスキャンの順序で全ての発光ダイオード３２が発光するよう、コマンド信号を生成する。図４では、発光ダイオード３２は、ドライバ群３４０によって、発光ダイオード３２−１〜３２−８１の順に発光する。
【００３８】
図５は、中解像度の映像（ＨＤ−ＳＤＩの画素数の映像）を表示する複数の発光ダイオード３２の発光の例を示す図である。第２水平選択部３２３は、水平方向に配列された発光ダイオード３２を水平方向に一つ置きに選択する。垂直選択部３３０は、垂直方向に配列された発光ダイオード３２を垂直方向に一つ置きに選択する。第２水平選択部３２３は、第２水平選択部３２３及び垂直選択部３３０に選択された発光ダイオード３２がラスタスキャンの順序で発光するよう、コマンド信号を生成する。図５では、発光ダイオード３２は、ドライバ群３４０によって、発光ダイオード３２−１、…、３２−９、３２−１９、…、３２−２７、…、３２−８１の順に発光する。
【００３９】
図６は、低解像度の映像（ＳＤ−ＳＤＩの画素数の映像）を表示する複数の発光ダイオード３２の発光の例を示す図である。第３水平選択部３２４は、水平方向に配列された発光ダイオード３２を水平方向に二つ置きに選択する。垂直選択部３３０は、垂直方向に配列された発光ダイオード３２を垂直方向に二つ置きに選択する。第３水平選択部３２４は、第３水平選択部３２４及び垂直選択部３３０に選択された発光ダイオード３２がラスタスキャンの順序で発光するよう、コマンド信号を生成する。図６では、発光ダイオード３２は、ドライバ群３４０によって、発光ダイオード３２−１、３２−４、３２−７、３２−２８、３２−３１、３２−３４、３２−５５、３２−５８、３２−６１の順に発光する。
【００４０】
発光制御部３２０及び垂直選択部３３０は、発光する発光ダイオード３２の配置を周期的に変更してもよい。例えば、発光制御部３２０及び垂直選択部３３０は、発光する発光ダイオード３２として選択する発光ダイオード３２を、画面において周期的にシフトしてもよい。例えば、図６では、第３水平選択部３２４は、光ダイオード３２−１、３２−４、３２−７を選択した場合、映像のフレームを切り替えるタイミングで、光ダイオード３２−２、３２−５、３２−８を選択してもよい。例えば、図６では、垂直選択部３３０は、光ダイオード３２−１、３２−２８、３２−５５を選択した場合、映像のフレームを切り替えるタイミングで、光ダイオード３２−１０、３２−３７、３２−６４を選択してもよい。これによって、実施形態の表示装置１は、発光ダイオード３２の劣化が特定の発光ダイオード３２に偏ることを防ぐことができる。また、実施形態の表示装置１は、輝度ムラを最小限に抑えることができる。
【００４１】
次に、制御部３０の動作の例を説明する。
図７は、制御部３０の動作の例を示すフローチャートである。検出部３１０は、ＳＤＩカスタム信号に基づく映像の解像度を検出する（ステップＳ１０１）。配置選択部３２１は、配列された発光ダイオード３２のうち発光する発光ダイオード３２の配置を、ＳＤＩカスタム信号に基づく映像の解像度に応じて選択する（ステップＳ１０２）。
【００４２】
映像の解像度が高解像度である場合（ステップＳ１０２：高解像度）、第１水平選択部３２２及び垂直選択部３３０は、配列された全ての発光ダイオード３２を選択する（ステップＳ１０３）。第１水平選択部３２２及び垂直選択部３３０は、ステップＳ１０６に処理を進める。
【００４３】
映像の解像度が中解像度である場合（ステップＳ１０２：中解像度）、第２水平選択部３２３及び垂直選択部３３０は、発光する発光ダイオード３２同士の間隔が閾値以下まで狭くなるよう発光ダイオード３２の一部を間引いて、間引かれずに残った発光ダイオード３２を選択する（ステップＳ１０４）。第２水平選択部３２３及び垂直選択部３３０は、ステップＳ１０６に処理を進める。
【００４４】
映像の解像度が低解像度である場合（ステップＳ１０２：低解像度）、第３水平選択部３２４及び垂直選択部３３０は、発光する発光ダイオード３２同士の間隔が閾値よりも広くなるよう発光ダイオード３２の一部を間引いて、間引かれずに残った発光ダイオード３２を選択する（ステップＳ１０５）。ドライバ群３４０は、選択された発光ダイオード３２の発光を所定順序で制御する（ステップＳ１０６）。
【００４５】
以上のように、実施形態の表示装置１は、配列された複数の発光ダイオード３２と、発光制御部３２０と、ドライバ３４１とを持つ。発光制御部３２０は、発光する発光ダイオード３２同士の間隔が映像の解像度の低下に応じて広くなるよう、発光ダイオード３２の一部を選択する。ドライバ３４１は、選択された発光ダイオード３２に対して映像に応じて発光を指示する。
【００４６】
この構成によって、発光制御部３２０は、発光する発光ダイオード３２同士の間隔が映像の解像度の低下に応じて広くなるよう、配列された発光ダイオード３２の一部を選択する。これによって、実施形態の表示装置１は、消費電力を低減することができる。
【００４７】
実施形態の表示装置１は、映像の解像度に応じて発光ダイオード３２を間引くことによって消費電力を低減して、中継像度又は低解像度の映像を表示することができる。例えば、実施形態の表示装置１は、災害発生時等によって電力が不足した際に緊急情報を取得した場合、映像の解像度に応じて発光ダイオード３２を間引くことによって消費電力を低減して、中解像度又は低解像度の映像を表示することができる。
【００４８】
実施形態の表示装置１は、映像の解像度に応じて発光ダイオード３２を間引くことによって消費電力を低減して、画面の寿命を長くすることができる。実施形態の表示装置１は、発光する発光ダイオード３２の配置を周期的に変更することによって、発光ダイオード３２の劣化が特定の発光ダイオード３２に偏ることを防ぐことができる。実施形態の表示装置１は、発光する発光ダイオード３２の配置を周期的に変更することによって、輝度ムラを最小限に抑えることができる。実施形態の表示装置１は、配列された全ての発光ダイオード３２が順次に発光することによって、高解像度の映像を表示してもよい。
【００４９】
以上述べた少なくともひとつの実施形態によれば、発光する発光素子同士の間隔が映像の解像度の低下に応じて広くなるよう、発光素子の一部を選択する発光制御部を持つことにより、消費電力を低減することができる。
【００５０】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１…表示装置、２…信号処理部、３…表示部、２０…取得部、２１…抽出部、２２…メモリ、２３…検出部、２４…生成部、２５…出力部、３０…制御部、３１…発光部、３２…発光ダイオード、３００…取得部、３１０…検出部、３２０…発光制御部、３２１…配置選択部、３２２…第１水平選択部、３２３…第２水平選択部、３２４…第３水平選択部、３３０…垂直選択部、３４０…ドライバ群、３４１…ドライバ、３５０…メモリ
【図１】
2018049062.tif 000003
【図２】
2018049062.tif 000004
【図３】
2018049062.tif 000005
【図４】
2018049062.tif 000006
【図５】
2018049062.tif 000007
【図６】
2018049062.tif 000008
【図７】
2018049062.tif 000009